(57)【要約】【課題】  複数のＩＦを持つ機器で、ユーザーが誤って複数ＩＦを同時に接続しても安定動作を可能とする画像入力装置を提供する。【解決手段】  光源、受光素子群、データ記憶手段と、複数データ通信手段、ホスト環境、データ通信有効化手段、を有し、先に接続された接続されたデータ通信方式のＩＦを有効化し、他通信方式のＩＦの有効化を禁止する。【選択図】        図６
2006157808.tif 000002
【特許請求の範囲】
【請求項１】
原稿を照射する光源と、
上記光源により照射された原稿の読み取りを行うための受光素子群と、
受光素子群から入力したデータを一時的に保管しておくための記憶手段と、
上記記憶手段に記憶された画像データを転送するための複数のデータ通信方式と、
上記画像入力装置が接続されるホスト環境と、
上記のそれぞれのデータ通信方式による通信を有効化する通信有効化手段と、
を有し、上記ホスト環境に上記画像入力装置が接続された際に接続されたデータ通信方式を上記有効化手段により有効化し、その他の通信方式が有効化されることを禁止するよう制御する制御手段を有することを特徴とする画像入力装置。
【請求項２】
原稿を照射する光源と、
上記光源により照射された原稿の読み取りを行うための受光素子群と、
受光素子群から入力したデータを一時的に保管しておくための記憶手段と、
上記記憶手段に記憶された画像データを転送するための複数のデータ通信方式と、
上記画像入力装置が接続されるホスト環境と、
上記のそれぞれのデータ通信方式による通信を有効化する通信有効化手段と、
上記通信有効化手段により通信が有効化された際には他の通信手段の有効化を禁止する禁止手段と、
通信が有効化され、他の通信方式の有効化が禁止されたことを表示する表示手段と
を有することを特徴とする画像入力装置。
【請求項３】
原稿を照射する光源と、
上記光源により照射された原稿の読み取りを行うための受光素子群と、
受光素子群から入力したデータを一時的に保管しておくための記憶手段と、
上記記憶手段に記憶された画像データを転送するための複数のデータ通信方式と、
上記画像入力装置が接続されるホスト環境と、
上記のそれぞれのデータ通信方式による通信を有効化する通信有効化手段と、
上記通信有効化手段により通信が有効化された際には他の通信手段の有効化を禁止する禁止手段と、
上記通信有効化手段によりひとつの通信が有効化されている際に、さらに他のデータ通信方式により接続された際には、接続されたデータ通信方式が有効化不可能である折の表示を行う表示手段
を有することを特徴とする画像入力装置。
【請求項４】
上記請求項１ないし３のいずれか一項に記載の画像入力装置において、
さらに上記の表示手段を有効・無効にする切り替え手段を有することを特徴とする画像入力装置。
【請求項５】
上記請求項１ないし４のいずれか一項に記載の画像入力装置において、
上記のデータ通信方式が少なくとも
ＵＳＢ１．０、ＵＳＢ１．１、ＵＳＢ２．０、ＩＥＥＥＥ１３９４、ＳＣＳＩ、ＥＰＰ、ＥＣＰ、ＩＲ、Ｂｌｕｅ  Ｔｏｏｔｈ
のうち、いずれか一つを含むことを特徴とする画像入力装置。
【発明の詳細な説明】
【技術分野】
【０００１】
本発明は複数の通信方式に対応したスキャナ、複写機等の画像入力装置に関するものである。
【背景技術】
【０００２】
近年、パーソナルコンピュータの普及および高機能化によりフルカラー画像の編集、ＯＣＲ等が高速に処理できるようになった。これに伴い初心者にも画像を容易に入力できるフラットベッドタイプのイメージスキャナ装置が普及している。また、より高速な通信インターフェイスも登場し、通信方式が多様化してきている。スキャナ等の画像入力機器も例に漏れず、複数のインターフェイスに対応したものが出てきている（例えば、特許文献１参照）。
【特許文献１】特開２００２−２７２００号公報
【発明の開示】
【発明が解決しようとする課題】
【０００３】
しかしながら、複数の通信インターフェイスを持つにもかかわらず、ほとんどのスキャナ機器ではそれぞれのインターフェイス機器を別々のホストＰＣに接続し、複数のホストＰＣからの操作を認めていない。
【０００４】
これは製品の画像読取部自体が物理的に一組しかない為、当然、複数の読取動作を同時に行うことが出来ないためである。
【０００５】
通信の排他制御等を行う必要がある為であり、制御の複雑化とコストＵＰにつながる。
【０００６】
そこで現在のスキャナ機器においては、複数のインターフェイスを持ってはいるが、これを用いた複数のホストへの同時接続は禁止している。
【０００７】
しかしながら、接続できるインターフェイス分の接続コネクタの口は複数存在し、ユーザーにより誤ってこれらのインターフェイスを同時に複数もしくは同一のホストＰＣに接続された場合には、内部回路が混乱し、正常に動作しないと言った不具合がある。
【０００８】
本発明は、このような問題点に鑑みて為されたものであり、その目的とする処は、ユーザーによる複数のインターフェイスコネクタに誤ってケーブルを接続された際にも、機器を安定動作させることが可能な画像入力装置を提供することにある。
【課題を解決するための手段】
【０００９】
本発明は、下記の技術的構成により前記目的を達成できたものである。
【００１０】
原稿を照射する光源と、上記光源により照射された原稿の読み取りを行うための受光素子群と、受光素子群から入力したデータを一時的に保管しておくための記憶手段と、上記記憶手段に記憶された画像データを転送するための複数のデータ通信方式と、上記画像入力装置が接続されるホスト環境と、上記のそれぞれのデータ通信方式による通信を有効化する通信有効化手段とを有し、上記ホスト環境に上記画像入力装置が接続された際に接続されたデータ通信方式を上記有効化手段により有効化し、その他の通信方式が有効化されることを禁止するよう制御する制御手段を有することを特徴とする画像入力装置。
【００１１】
本発明においては、ユーザーによる複数のインターフェイスコネクタに誤ってケーブルを接続された際にも、機器を安定動作させる為に、一つのインターフェイス接続が有効化されたならば、他のインターフェイスの有効化を即刻、禁止することでこれを課題を解決する。
【発明の効果】
【００１２】
本発明によれば、ユーザーによる複数のインターフェイスコネクタに誤ってケーブルを接続された際にも、機器を安定動作させることが可能な画像入力装置を提供することができる。
【発明を実施するための最良の形態】
【００１３】
以下本発明の実施例について、図面を参照しながら説明する。
【実施例１】
【００１４】
図１はハード構成図であり、この図において１０１は原稿、１０２はレンズ、１０３はレンズ１０２によって結像した画像を電気信号に変換する受光素子群を示す。１０４は読み取り信号を処理して２値化する画像処理回路、１０５はラインバッファを示す。１０６−１、１０６−２は外部機器との通信に使うインターフェイス回路、１０７はラインバッファ１０５を各色光源毎に制御を行うラインバッファ制御回路を示す。１０８はＣＰＵ（中央演算処理装置）、１１３はＲＡＭ（ランダムアクセスメモリ）、１１４はＲＯＭ（リードオンリーメモリー）であり、これらによりラインバッファ制御回路１０７に対し、格納ライン数を指示し、ＵＳＢ１．１用のインターフェイス回路１０６−１，ＵＳＢ２．０用のインターフェイス回路１０６−２によって外部機器へデータを送信する。
【００１５】
１０９は内部光源ＬＥＤのＯＮ／ＯＦＦ制御回路であり、１１１は内部光源ＬＥＤである。ＲＡＭ（１１３）には一時的に読み取った画像データが記憶される。ＲＯＭ（１１４）には読み取り等の制御処理プログラムが埋め込まれている。１１２はインターフェイス回路（１０６）に接続されたコンピュータ等の外部機器である。１１５はＣＰＵに接続されたモータおよびモータ制御回路である。１１６はスキャナが接続された通信インターフェイスがＵＳＢもしくはＩＥＥＥ１３９４のいずれかを検出するためのインターフェイス検出回路ある。
【００１６】
図２に本実施例における画像入力装置の断面図を示す。
【００１７】
２０１は枠体、２０２はセンサユニット、２０３はセンサユニットを副走査方向へ移動する基準となる基準軸、２０４はセンサユニット２０２に接続され基準軸に沿い動作させるための動作ベルト、２０５はステッピングモータ、２０６はモータからの駆動をベルトに伝えるためのギア群である。
【００１８】
外部機器からスキャン命令を受けた画像入力装置のＣＰＵはモータ２０５を駆動し、ギア群２０６を介してベルトを駆動する。これによりセンサユニット２０２が基準軸２０３に沿って副操作方向へ移動して画像を読み取る。
【００１９】
２０７は基板であり、２０８はＵＳＢの接続コネクタ、２０９はＩＥＥＥ１３９４の接続コネクタ、２１０はセンサユニット２０２と基板２０７を接続するためのフラットケーブル、２１１は外部電源であるＡＣアダプタの接続用コネクタである。
【００２０】
図３は本スキャナの基本解像度である１２００ｄｐｉでの読み込みにおける、１ライン読み込みに関するセンサ、ＬＥＤの点灯区間、モータパルスのタイミングを示した図である。
【００２１】
３０１は一色の読み込み基準信号を示す。ＲＥＤ，ＧＲＥＥＮ，ＢＬＵＥの３色分の読み込みを順番に行うことで１ラインのデータとする仕組みである。
【００２２】
３０２はこの基準信号に準じて設定された各色ＬＥＤの点灯区間である。
【００２３】
３０３はモータ駆動制御信号を示す。上記の１色読み込み基準信号ｘ３＝１ライン読み込み時間に同期して、１ライン２パルスで駆動すべく設定されている。
【００２４】
１色基準信号（３０１）は、通信方式のＵＳＢおよびＩＥＥＥ１３９４によって可変に設定可能であり、実際の設定値は、ＵＳＢでは８．６÷３ｍｓｅｃ、
ＩＥＥＥ１３９４では５．３÷３ｍｓｅｃが設定される。これに準じてＬＥＤ点灯区間は設定され、さらにはこれに同期して作られるモータ基準信号（３０３）も同様に変更される。
【００２５】
これにより接続された通信方式の通信速度を十分に活かした読み取り速度に必要な同期信号等を生成している。
【００２６】
図４はスキャナをホストに接続した際に表示されるダイアログを示す。
【００２７】
図４−ａはスキャナとホストがＵＳＢ通信を用いて接続された際に表示されるダイアログである。
【００２８】
これにより、ＵＳＢ通信が有効化され、後にＩＥＥＥ１３９４接続がされたとしても無効化されることをユーザーに明示する。
【００２９】
図４−ｂはスキャナとホストがＩＥＥＥ１３９４通信を用いて接続された際に表示されるダイアログである。これにより、ＩＥＥＥ１３９４通信が有効化され、後にＵＳＢ接続がされたとしても無効化されることをユーザーに明示する。
【００３０】
図４−ｃはスキャナとホストがＵＳＢ通信中にＩＥＥＥ１３９４を用いて接続された際に表示されるダイアログである。これによりＵＳＢ通信中であることから、ＩＥＥＥ１３９４接続が無効化されていることをユーザーに明示する。
【００３１】
図４−ｄはスキャナとホストがＩＥＥＥ１３９４通信中にＵＳＢを用いて接続された際に表示されるダイアログである。これによりＩＥＥＥ１３９４通信中であることから、ＵＳＢ接続が無効化されていることをユーザーに明示する。
【００３２】
このようにユーザーに対して明示することでユーザーがどのインターフェイスが有効化されているのかを簡易に認識することが可能となる。
【００３３】
スキャナ接続時の制御方法について図６のフロチャート１を用いて説明する。
【００３４】
まず、スキャナが接続されるとすでにホストとスキャナが接続されているかどうかの判断を行い（Ｆ１０１）、すでに接続されているならば、すでに接続済み処理へ移行する。これについてはフロチャート２を用いて後述する。
【００３５】
次に通信方式を検出し（Ｆ１０２）、ＩＥＥＥ１３９４もしくはＵＳＢ接続なのかの判断を行い（Ｆ１０３）、ＩＥＥＥ１３９４と判断されたならば、もう一方のインターフェイスであるＵＳＢ通信を無効化する。（Ｆ１０４）その後、接続時のメッセージを表示するモードかどうかの判断を行い、（Ｆ１０５）、表示するモードであれば、図４−１ａの「ＩＥＥＥ１３９４が接続され、ＵＳＢ接続が無効化された」ことを示したダイアログボックスを表示する（Ｆ１０６）。
【００３６】
また、通信方式がＵＳＢと判断されたならば、もう一方のインターフェイスであるＩＥＥＥ１３９４通信を無効化する。（Ｆ１０７）その後、接続時のメッセージを表示するモードかどうかの判断を行い、（Ｆ１０８）、表示するモードであれば、図４−１ｂの「ＵＳＢが接続され、ＩＥＥＥ１３９４接続が無効化された」ことを示したダイアログボックスを表示する（Ｆ１０９）。
【００３７】
次に接続が、すでに別の通信により接続されている場合についてフロチャート２を用いて説明する。
【００３８】
接続されたならば通信方式を検知し（Ｆ２０１）、ＩＥＥＥ１３９４もしくはＵＳＢ接続なのかの判断を行い（Ｆ２０２）、ＩＥＥＥ１３９４と判断されたならば、接続時のメッセージを表示するモードかどうかの判断を行い（Ｆ２０３）、表示するモードであれば、図４−３ｃの「すでにＩＥＥＥ１３９４で通信中であり、ＵＳＢ接続の無効」を示したダイアログボックスを用意する（Ｆ２０４）。
【００３９】
接続された通信方式がＵＳＢと判断されたならば、接続時のメッセージを表示するモードかどうかの判断を行い（Ｆ２０５）、表示するモードであれば、図４−ｄの「すでにＩＥＥＥ１３９４で通信中であり、ＵＳＢ接続の無効」を示したダイアログボックスを用事する。（Ｆ２０６）
図５は本スキャナで読み込みを行う際のユーザーインターフェイスである。
【００４０】
５０１はプレビューウインドウ、５０２はプレビューボタン、５０３はスキャンボタン、５０４はプレビューエリアに表示される画像をクリアするクリアボタン、５０５はＵＳＢ接続時およびＩＥＥＥ１３９４接続時に接続形態を表示するかどうかのスイッチであり、これをＯｆｆにすると図４−ａ、図４−ｂ、図４−ｃおよび図４−ｄのダイアログは表示されなくなる。５０６は読み取りを行う解像度、読み取りビット数、サイズ等を設定するための読み取り条件設定スイッチ群である。これらを用いて、本スキャナを制御し、読み取った画像を得ることができる。
【００４１】
このように本実施例で説明したスキャナ装置においては、ＵＳＢおよびＩＥＥＥ１３９４の複数の通信方式に対応し、接続された際には、いずれの通信方式で接続されているかを判断し、接続を有効化した後に、他方のインターフェイスの有効化を禁止することで、スキャナ装置に対しての複数の通信経路確立を防ぐ。これによりユーザーが誤って両方のインターフェイスによりスキャナを接続した時にも誤動作等の発生しない安定した状態を常に保ちつづけることが可能である。
【００４２】
また、接続された際に有効になっているインターフェイスを表示することで、ユーザーにとってどちらのインターフェイスで接続されているかを簡易に認識でき、混乱を防ぐことも可能である。
【００４３】
本実施例ではＵＳＢおよびＩＥＥＥ１３９４の通信方式に関して述べてきたが当然その他の通信インターフェイスに関しても本発明の適用範囲であり、効果的なものである。
【００４４】
また、スキャナのような画像入力機器でなくとも複数のインターフェイスを持つ、プリンタ、デジタルカメラ等のデバイスに対しても本発明は効果的である。
【００４５】
以上述べたように、本発明による画像入力装置では、複数のインターフェイスを持つ機器においては、先に接続されたインターフェイスを有効化し、他のインターフェイスの有効化をあらかじめ禁止することで、ユーザーが誤って複数のインターフェイスを同時に接続してしまった場合にも安定して動作する機器を提供することが可能である。
【００４６】
また、ユーザーに対して接続時にこれらの処理内容を明示することでユーザーがどのインターフェイスが有効化されているのかを簡易に認識することも可能である。
【図面の簡単な説明】
【００４７】
【図１】本実施例１のハード構成を示すブロック図
【図２】本実施例１のメカ構成の上視図
【図３】本実施例１における１ラインの読み取りタイミングを説明した図
【図４】ａ、ｂ、ｃ、ｄは、本実施例１におけるスキャナ接続時のメッセージを示した図
【図５】本実施例１におけるユーザーインターフェイスを示した図
【図６】実施例１におけるスキャナ接続時の手順を示したフロチャート
【図７】実施例１におけるすでに接続されている状態で他のインターフェイスによりスキャナ接続を行った際の制御手順を示したフロチャート
【符号の説明】
【００４８】
１０１  原稿
１０２  レンズ
１０３  受光素子群
１０４  画像処理回路
１０５  ラインバッファ
１０６−１、１０６−２  インターフェイス回路
１０７  ラインバッファ制御回路
１０８  ＣＰＵ（中央演算処理装置）
１０９  Ｎ／ＯＦＦ制御回路
１１１  内部光源ＬＥＤ
１１２  外部機器
１１３  ＲＡＭ（ランダムアクセスメモリ）
１１４  ＲＯＭ（リードオンリーメモリー）
１１５  モータおよびモータ制御回路
１１６  インターフェイス検出回路
【図１】
2006157808.tif 000003
【図２】
2006157808.tif 000004
【図３】
2006157808.tif 000005
【図６】
2006157808.tif 000006
【図７】
2006157808.tif 000007
【図４】
2006157808.tif 000008
【図５】
2006157808.tif 000009